(57)【要約】【課題】  比較的長尺の薪であっても、燃焼室内で薪の姿勢が規則的になるように支持できるようにして、薪を均一に安定的に燃焼させることのできる薪ストーブを提供する。【解決手段】  薪Ｗを上から投入して燃焼させるもので、薪Ｗが燃焼する燃焼室２を有したボックス状の本体１と、本体１の上部に軸線Ｐが傾斜して突設されるとともに上側開口１１が開閉可能な薪Ｗが投入される投入口１２として構成され下側開口１３が燃焼室２に連通して薪Ｗを燃焼室２に供給する薪供給体１０と、本体１の前部に設けられ開閉可能な開口２０と、本体１に設けられ燃焼室２に空気を供給する開度調整可能な空気供給口部３０と、本体１の後部側に設けられ煙突２４が接続されて燃焼室２からの排ガスを排気する排気口２５とを備えた。【選択図】  図４
0003157839.tif 000002
【実用新案登録請求の範囲】
【請求項１】
薪を上から投入して燃焼させる薪ストーブにおいて、
薪が燃焼する燃焼室を有したボックス状の本体と、該本体の上部に軸線が傾斜して突設されるとともに上側開口が開閉可能な薪が投入される投入口として構成され下側開口が上記燃焼室に連通して該投入された薪を上記燃焼室に供給する薪供給体と、上記本体の前部に設けられ開閉可能な開口と、上記本体に設けられ上記燃焼室に空気を供給する開度調整可能な空気供給口部と、上記本体の後部側に設けられ煙突が接続されて燃焼室からの排ガスを排気する排気口とを備えたことを特徴とする薪ストーブ。
【請求項２】
上記薪供給体の投入口の中心から上記本体の燃焼室までの軸線長さを、７００ｍｍ〜２０００ｍｍにしたことを特徴とする請求項１記載の薪ストーブ。
【請求項３】
上記薪供給体の水平面に対する傾斜角度θを、θ＝７０°±５°に設定したことを特徴とする請求項１または２記載の薪ストーブ。
【請求項４】
上記薪供給体の投入口が上記本体の前部側に位置するように該薪供給体を傾斜させたことを特徴とする請求項１乃至３何れかに記載の薪ストーブ。
【請求項５】
上記空気供給口部を、少なくとも、上記本体の前部の両側であって、上記薪供給体の軸線を中心にして鏡面対称となるように一対設けたことを特徴とする請求項４記載の薪ストーブ。
【請求項６】
上記空気供給口部の一対の組を、複数組設けたことを特徴とする請求項５記載の薪ストーブ。
【請求項７】
上記空気供給口部の複数の組のうち、何れか１つの組の空気供給口部を、その出口が燃焼室の前側かつ下側に位置するように設け、他の何れか１つの組の空気供給口部を、その出口が燃焼室の前側かつ上側に位置するように設けたことを特徴とする請求項６記載の薪ストーブ。
【考案の詳細な説明】
【技術分野】
【０００１】
本考案は、薪を上から投入して燃焼させる薪ストーブに係り、特に、丸太，これを縦割りした木や建物の廃木材等の比較的長尺の薪を燃料とすることのできる薪ストーブに関する。
【背景技術】
【０００２】
従来、薪を上から投入して燃焼する薪ストーブとしては、例えば、実用新案登録第３１４２３７５号公報（特許文献１）記載の技術が知られている。
図５に示すように、この薪ストーブＳａは、薪Ｗが燃焼する燃焼室１０１を有したボックス状の本体１００を備え、この本体１００の上部にヒンジ開閉する蓋１０２で開閉可能な薪Ｗが投入される投入口１０３を形成し、本体１００の前部に開閉可能な開口１０４を形成し、この開口１０４を開閉する扉１０５に燃焼室１０１に空気を供給する開度調整可能な第一の空気供給口部１０６を形成し、本体１００の前部であって開口１０４の上に燃焼室１０１に空気を供給する開度調整可能な第二の空気供給口部１０７を形成し、本体１００の後部側に燃焼室１０１からの排ガスを排気する煙突１０８を設けている。そして、蓋１０２を開にして薪Ｗを燃焼室１０１に投入し、第一及び第二の空気供給口部１０６,１０７から適宜空気を供給して薪Ｗを燃焼させるようにしている。
【先行技術文献】
【特許文献】
【０００３】
【特許文献１】実用新案登録第３１４２３７５号公報
【考案の概要】
【考案が解決しようとする課題】
【０００４】
しかしながら、上記従来の薪ストーブにおいては、薪Ｗが、例えば、丸太，これを縦割りした木や建物の廃木材等の例えば７０ｃｍを超えるような比較的長尺の薪を燃やそうとする場合、投入口１０３からこの薪Ｗを投入して燃焼室１０１内に入ったとしても、燃焼室１０１内部で薪Ｗの支持が不安定でその姿勢が不規則になってしまい、薪Ｗを均一に安定的に燃焼させにくいという問題があった。
【０００５】
本考案は上記の問題点に鑑みて為されたもので、比較的長尺の薪であっても、燃焼室内で薪の姿勢が規則的になるように支持できるようにして、薪を均一に安定的に燃焼させることのできる薪ストーブを提供することを目的とする。
【課題を解決するための手段】
【０００６】
このような目的を達成するための本考案の薪ストーブは、薪を上から投入して燃焼させる薪ストーブにおいて、薪が燃焼する燃焼室を有したボックス状の本体と、該本体の上部に軸線が傾斜して突設されるとともに上側開口が開閉可能な薪が投入される投入口として構成され下側開口が上記燃焼室に連通して該投入された薪を上記燃焼室に供給する薪供給体と、上記本体の前部に設けられ開閉可能な開口と、上記本体に設けられ上記燃焼室に空気を供給する開度調整可能な空気供給口部と、上記本体の後部側に設けられ煙突が接続されて燃焼室からの排ガスを排気する排気口とを備えた構成としている。尚、燃焼室には、火格子を設けてもよく、また、特に設けなくてもよい。
【０００７】
これにより、例えば、丸太，これを縦割りした木や建物の廃木材等の例えば比較的長尺の薪を燃やそうとする場合、薪供給体の投入口からこの薪をその一端部を下にして投入する。尚、薪の長さが薪供給体の投入口から飛び出る長さの場合には、適宜切断して用いる。この場合、薪供給体は筒状に形成され、しかも、傾斜しているので、薪の一端部が揃えられて本体の底壁に支持されて燃焼室に臨むようになる。燃焼室においては、この揃えられた薪の一端部から燃焼していく。燃焼は、空気供給口部の開度を変えて空気量を適宜に調整して行う。薪の燃焼が進むと、薪が薪供給体の軸線に沿って徐々にスライドして降下していく。この燃焼の際、薪供給体の投入口は閉じられているので、薪供給体の上側内部は略無酸素状態になることから、燃焼室の底壁側に位置する薪の一端部のみが燃焼させられる。このため、薪は一気に燃えるのではなく、下から徐々に燃えていくので、それだけ燃焼時間が長くなり、１回の薪の投入で長時間の燃焼を得ることができ、燃料供給管理が容易になる。また、この燃焼の際には、薪がその長手方向に沿って薪供給体の軸線に沿って薪供給体の壁面に支持されているので、比較的長尺の薪であっても、燃焼室内で姿勢が規則的になり、薪は均一に安定的に燃焼させられる。燃焼室で発生する燃焼ガスは煙突から排気されていく。また、燃焼後の灰は、適宜、本体の前部に設けられ開口を開にして、取り出せばよい。尚、比較的長さの短い薪であっても、投入口から投入すれば燃焼室に落下するので、燃焼させることができることは勿論である。
【０００８】
そして、必要に応じ、上記薪供給体の投入口の中心から上記本体の燃焼室までの軸線長さを、７００ｍｍ〜２０００ｍｍにした構成にしている。比較的長い薪に確実に対応できるようになる。
また、必要に応じ、上記薪供給体の水平面に対する傾斜角度θを、θ＝７０°±５°に設定した構成にしている。比較的角度が直角に近いので、薪が略直立したようになることから、薪間に空気が入り込みやすくなり、より一層、薪を均一に安定的に燃焼させることができる。
更に、必要に応じ、上記薪供給体の投入口が上記本体の前部側に位置するように該薪供給体を傾斜させた構成としている。投入口が本体の前部側に位置しているので、側部にある場合に比較して、投入が容易になる。
【０００９】
また、必要に応じ、上記空気供給口部を、上記本体の前部の両側であって、上記薪供給体の軸線を中心にして鏡面対称となるように一対設けた構成としている。これにより、空気が、本体の底壁に支持されて揃えられた薪の一端部に対して、両側から空気を供給できるので、それだけ、空気の流通がよくなり、より一層、薪を均一に安定的に燃焼させることができる。
【００１０】
この場合、上記空気供給口部の一対の組を、複数組設けたことが有効である。空気を多数の空気供給口部から供給できるので、それだけ、空気の流通がよくなり、より一層、薪を均一に安定的に燃焼させることができる。
また、この場合、上記空気供給口部の複数の組のうち、何れか１つの組の空気供給口部を、その出口が燃焼室の前側かつ下側に位置するように設け、他の何れか１つの組の空気供給口部を、その出口が燃焼室の前側かつ上側に位置するように設けたことが有効である。空気が、左右上下から本体の底壁に支持されて揃えられた薪の一端部に対して吹き込むので、この点でも、空気の流通がよくなり、より一層、薪を均一に安定的に燃焼させることができる。
【考案の効果】
【００１１】
本考案によれば、例えば、丸太，これを縦割りした木や建物の廃木材等の比較的長尺の薪を燃やそうとする場合、薪供給体の投入口からこの薪をその一端部を下にして投入すれば、薪供給体は筒状に形成され、しかも、傾斜しているので、薪がその長手方向に沿って薪供給体の軸線に沿って薪供給体の壁面に支持され、薪の一端部が揃えられて本体の底壁に支持されて燃焼室に臨み、この揃えられた薪の一端部から燃焼していく。そのため、比較的長尺の薪であっても、燃焼室内で姿勢が規則的になることから、薪を均一に安定的に燃焼させることができる。
【図面の簡単な説明】
【００１２】
【図１】本考案の実施の形態に係る薪ストーブを示す斜視図である。
【図２】本考案の実施の形態に係る薪ストーブを示す図であり、（ａ）は平面図、（ｂ）は側面図、（ｃ）は正面図である。
【図３】本考案の実施の形態に係る薪ストーブにおいて空気供給口部の構造を示し、（ａ）は図１中Ｘ線視断面図、（ｂ）は図１中Ｙ線視断面図である。
【図４】本考案の実施の形態に係る薪ストーブの薪の燃焼状態を示す断面図である。
【図５】従来の薪ストーブの一例を示す断面図である。
【考案を実施するための形態】
【００１３】
以下、添付図面に基づいて、本考案の実施の形態に係る薪ストーブについて詳細に説明する。
図１乃至図４に示すように、本考案の実施の形態に係る薪ストーブＳは、薪Ｗを上から投入して燃焼させるもので、薪Ｗが燃焼する燃焼室２を有したボックス状の本体１を備えている。本体１は、鉄などの金属で中空の直方体状に形成されている。本体１の左右前後の４か所には、下端側を本体１の底面よりも突設させた支柱３が溶接固定されており、この支柱３の下端部により脚部４が構成され、この脚部４により本体１は地面に支持される。また、本体１の底面外側，後面外側及び両側面外側には、放熱用の板状のフィン５が突設されている。
【００１４】
また、本体１の上部略中央には、本体１と同様に鉄などの金属で筒状に形成された薪供給体１０が溶接により突設されている。この薪供給体１０は、その軸線Ｐが傾斜して薪供給体１０に突設されており、上側開口１１が開閉可能な薪Ｗが投入される投入口１２として構成され、下側開口１３が燃焼室２に連通して投入された薪Ｗを燃焼室２に供給するものである。薪供給体１０の投入口１２には、この投入口１２を開閉するヒンジ１４を介して開閉可能な蓋１５が設けられている。１６は蓋１５に設けられ開閉時に把持する把手である。
【００１５】
薪供給体１０は、その投入口１２が本体１の前部側に位置するように傾斜させられており、例えば、薪供給体１０の水平面に対する傾斜角度θ（図２（ｂ））が、θ＝７０°±５°に設定されている。薪供給体１０の投入口１２の中心から本体１の燃焼室２までの軸線Ｐの長さＬは、７００ｍｍ〜２０００ｍｍの範囲に設定されている。この範囲で、比較的長い薪Ｗに確実に対応できるようになる。本体の縦寸法は、３００ｍｍ〜５００ｍｍの範囲が望ましい。これにより、１０００ｍｍ〜２５００ｍｍの長さの長尺の薪に対応できる。
実施の形態では、例えば、図２に示すように、本体１を、横５００ｍｍ、縦４００ｍｍ、長さ９１４ｍｍの大きさのものにおいて、薪供給体１０を、直径４８５ｍｍ、傾斜角度θ＝７０°、軸線Ｐの長さＬ＝９００ｍｍに設定している。
【００１６】
また、本体１の前部には開閉可能な開口２０が形成されている。この開口２０にはヒンジ２１を介して開閉可能な扉２２が設けられている。扉２２には透明なガラスなどで構成された窓２３が設けられている。更に、本体１の後部側の上部には、煙突２４が接続されて燃焼室２からの排ガスを排気する排気口２５が形成されている。
【００１７】
更にまた、本体１には、燃焼室２に空気を供給する開度調整可能な空気供給口部３０が設けられている。空気供給口部３０は、少なくとも、本体１の前部の両側であって、薪供給体１０の軸線Ｐを中心にして鏡面対称となるように一対設けられている。空気供給口部３０の一対の組は、複数組（実施の形態では２組）設けられている。
空気供給口部３０の複数の組のうち、図３（ａ），図４に示すように、何れか１つの組の空気供給口部３０（Ａ）は、空気通路３１を有する断面円形のパイプ３２で構成され、その入口３３が本体１の前部外側に突出し、その出口３４が燃焼室２の前側かつ下側に位置するように設けられている。入口３３には入口３３の開度を調整する開閉蓋３５が設けられている。
【００１８】
また、図３（ｂ），図４に示すように、他の何れか１つの組の空気供給口部３０（Ｂ）は、空気通路３６を有する断面矩形のパイプ３７で構成され、その入口３８が薪供給体１０の基端部であって本体１の上部に突出し、その出口３９が燃焼室２の前側かつ上側に位置するように設けられている。入口３８には入口３８の開度を調整するダンパ４０が設けられている。
【００１９】
従って、この薪ストーブＳにより薪Ｗを燃焼させるときは、図１及び図４に示すように、薪Ｗとして、例えば、丸太，これを縦割りした木や建物の廃木材等の比較的長尺の薪Ｗを用意する。尚、薪Ｗの長さが薪供給体１０の投入口１２から飛び出る長さの場合には、適宜切断して用いる。また、比較的長さの短い薪Ｗであっても、投入口１２から投入すれば燃焼室２に落下するので、燃焼させることができることは勿論である。
【００２０】
そして、最初は、薪供給体１０の蓋１５を開け、これらの薪Ｗを複数本、その一端部を下にして薪供給体１０の投入口１２から投入する。この場合、薪供給体１０の投入口１２が本体１の前部側に位置しているので、側部にある場合に比較して、投入が容易になる。所要量投入したならば、蓋１５を閉める。この場合、薪供給体１０は筒状に形成され、しかも、傾斜しているので、薪Ｗがその長手方向に沿って薪供給体１０の軸線Ｐに沿って薪供給体１０の壁面に支持され、薪Ｗの一端部が揃えられて本体１の底壁に支持されて燃焼室２に臨むようになる。そして、扉２２を開けて、薪Ｗの一端部に着火し、再び扉２２を閉めると、燃焼室２においては、揃えられた薪Ｗの一端部から燃焼していく。燃焼は、空気供給口部３０の開度を変えて空気量を適宜に調整して行う。燃焼室２で発生する燃焼ガスは煙突２４から排気されていく。薪Ｗの燃焼が進むと、薪Ｗが薪供給体１０の軸線Ｐに沿って徐々にスライドして降下していく。この燃焼の際、薪供給体１０の投入口１２は、蓋１５により閉じられているので、薪供給体１０の上側内部は略無酸素状態になることから、燃焼室２の底壁側に位置する薪Ｗの一端部のみが燃焼させられる。このため、薪Ｗは一気に燃えるのではなく、下から徐々に燃えていくので、それだけ燃焼時間が長くなり、１回の薪Ｗの投入で長時間の燃焼を得ることができ、燃料供給管理が容易になる。
【００２１】
この場合、薪Ｗがその長手方向に沿って薪供給体１０の軸線Ｐに沿って薪供給体１０の壁面に支持され、薪Ｗの一端部が揃えられて本体１の底壁に支持されているので、比較的長尺の薪Ｗであっても、燃焼室２内で姿勢が規則的になり、薪Ｗは均一に安定的に燃焼させられる。また、この場合、薪供給体１０の水平面に対する傾斜角度θが、θ＝７０°±５°に設定されているので、比較的角度が直角に近いことから、薪Ｗが略直立したようになり、そのため、薪Ｗ間に空気が入り込みやすくなり、より一層、薪Ｗを均一に安定的に燃焼させることができる。
【００２２】
また、空気供給口部３０が本体１の前部の両側であって、薪供給体１０の軸線Ｐを中心にして鏡面対称となるように一対設けられ、しかも、空気供給口部３０の一対の組が複数組（実施の形態では２組）設けられているので、空気が、本体１の底壁に支持されて揃えられた薪Ｗの一端部に対して、両側からかつ多数の空気供給口部３０（Ａ）（Ｂ）から供給でき、そのため、空気の流通がよくなり、より一層、薪Ｗを均一に安定的に燃焼させることができる。また、この場合、空気供給口部３０の複数の組のうち、何れか１つの組の空気供給口部３０（Ａ）は、その出口３４が燃焼室２の前側かつ下側に位置するように設けられ、他の何れか１つの組の空気供給口部３０（Ｂ）は、その出口３９が燃焼室２の前側かつ上側に位置するように設けられているので、空気が、左右上下から本体１の底壁に支持されて揃えられた薪Ｗの一端部に対して吹き込むので、この点でも、空気の流通がよくなり、より一層、薪Ｗを均一に安定的に燃焼させることができる。
そして、薪Ｗがなくなってきたら、再び蓋１５を開けて薪Ｗを補充するようにする。また、燃焼後の灰は、適宜、本体１の前部に設けられ開口２０を開にして、取り出せばよい。
【実施例】
【００２３】
次に実施例を示す。実施例に係る薪ストーブは、図２に示すように、本体１を、横５００ｍｍ、縦４００ｍｍ、長さ９１４ｍｍの大きさに形成し、薪供給体１０を、直径４８５ｍｍ、傾斜角度θ＝７０°、軸線Ｐの長さＬ＝９００ｍｍに形成した。そして、薪として、平均径１００ｍｍ、長さ１２００ｍｍのものを、５〜６本、薪供給体１０に入れ、空気供給口部３０を適宜調整し、燃焼させた。燃焼時間は、約８時間にもなり、長時間燃焼させるうることが確認できた。
【００２４】
尚、上記実施の形態において、薪供給体１０の長さは適宜変更して差し支えない。また、全体の大きさも、適宜変更して差し支えない。空気供給口部３０の数も上記に限定されないことは勿論である。
【符号の説明】
【００２５】
Ｓ  薪ストーブ
Ｗ  薪
１  本体
２  燃焼室
３  支柱
４  脚部
５  フィン
１０  薪供給体
Ｐ  軸線
１１  上側開口
１２  投入口
１３  下側開口
１５  蓋
２０  開口
２２  扉
２４  煙突
２５  排気口
３０，３０（Ａ），３０（Ｂ）  空気供給口部
３１  空気通路
３２  パイプ
３３  入口
３４  出口
３５  開閉蓋
３６  空気通路
３７  パイプ
３８  入口
３９  出口
４０  ダンパ
【図１】
0003157839.tif 000003
【図２】
0003157839.tif 000004
【図３】
0003157839.tif 000005
【図４】
0003157839.tif 000006
【図５】
0003157839.tif 000007